(57)【要約】【課題】体重の異なる使用者にも反発力が働くので使用者に使い心地が良いし、ベッドとの間の黴の発生を防止することができ、また折畳みが可能なので収納スペースも小さくて足りる両面プロファイル型マットレスを提供する。【解決手段】上マットレス体２は、頂部側を凸状湾曲面とし、谷部側を凹湾曲面状とする多数の凹凸が縦横方向に連続する上側プロファイル３を上面側に形成し、下面４は平坦面に形成した構成からなる。上マットレス体２と重畳する下マットレス体５は、頂部側を凸状湾曲面とし、谷部側を凹状湾曲面とする多数の凹凸が縦横方向に連続する下側プロファイル６を下面側に形成し、上面７は平坦面に形成した構成からなる。そして、上マットレス体２は、下マットレス体５に対して１．５〜１，６倍の厚さに設定してある。【選択図】図１
0003182062.tif 000002
【実用新案登録請求の範囲】
【請求項１】
頂部側を凸状湾曲面とし、谷部側を凹状湾曲面とする多数の凸部と凹部が縦横方向に連続する上側プロファイルを上面側に形成し、下面は平坦面に形成した上マットレス体と、頂部側を凸状湾曲面とし、谷部側を凹状湾曲面とする多数の凸部と凹部が縦横方向に連続する下側プロファイルを下面側に形成し、上面は平坦面に形成した下マットレス体を重畳してなり、前記上マットレス体は、前記下マットレス体に対して１，５〜１，６倍の厚さに設定してあることを特徴とする両面プロファイル型マットレス。
【請求項２】
前記上側プロファイルの頂部と谷部の深さは、前記下側プロファイルの頂部と谷部の深さより深く設定してあることを特徴とする請求項１記載の両面プロファイル型マットレス。
【請求項３】
前記上側プロファイルと下側プロファイルは、各々の頂部の間隔を等しく設定した条件で、上側プロファイルの凸部と凹部は下側プロファイルの凸部と凹部の約２，３〜２，４倍の深さに設定してあることを特徴とする請求項２記載の両面プロファイル型マットレス。
【請求項４】
請求項１又は２記載の両面プロファイル型マットレスは、３分割して３個のマットレス片に形成し、該３個のマットレス片を収容するマットレスカバーは、前面カバー片と後面カバー片を長手方向両端に設けた底面カバー部に、前記マットレス片の長さ寸法に合わせて上端を折曲げ縁とする逆Ｖ字状の折畳み代及び前、後仕切り片を夫々配設することにより第１〜第３の収容スペースを画成した構成とし、該各収容スペースに収容する前記マットレス片の上面角隅側から側面にかけて拘持する角隅側面押え片を前記底面カバー部に設けることにより、前記３個のマットレス片は前記マットレスカバー内に挿脱可能に収容するようにした両面プロファイル型マットレス。
【考案の詳細な説明】
【技術分野】
【０００１】
本考案は、寝具用マットレスに関し、体重の異なる人の使用にも対応できるので病院や養護施設等で使用するのに好適であるし、使用者に係る負担も可及的に軽減でき、しかもベッドとの間に黴が発生するのを防止できる両面プロファイル型マットレスに関する。
【背景技術】
【０００２】
今日、寝具用マットレスには発泡ウレタンフォーム製のものを主に使用しているが、吸湿性が劣っていることから蒸れ易い、ベッドとの間に黴が発生するという問題、全体が均一な反発力を有しているために体重の異なる使用者によって硬過ぎる、柔らか過ぎるといった使用感の相違が生じるという問題がある。
【０００３】
そこで、発泡弾性体からなる下部平板パッド１２と低反発発泡弾性体からなる上部平板パッド１３を積層し、下部平板パッド１２の下側面には山部１４と谷部１５を形成し、上部平板パッド１３の下側面にも山部１６と谷部１７を形成することにより、下部平板パッド１２と床面との間、下部平板パッド１２と上部平板パッド１３との間に空間３０、３１を形成して湿気を放散するようにした弾性マットレスが提案されている（特許文献１）。
【０００４】
また、第１層は人体側に凹凸を形成した高反発軟質ポリウレタンフォームであり、第２層は軟質ポリウレタンフォーム層で第１層との積層面に複数の凹部を有しているマットレスクッション材が提案されている（特許文献２）。
【先行技術文献】
【特許文献】
【０００５】
【特許文献１】特開２００６−１４８１９号公報
【特許文献２】特開２００７−１１１４２３号公報
【考案の概要】
【考案が解決しようとする課題】
【０００６】
上述した特許文献１の技術は、上部平板パッド１３の上面が平坦面に形成してあり、体圧を分散させる構成になっていない。下部平板パッド１２と上部平板パッド１３には厚さ方向に多数の貫通孔を形成してあり、通気性は得られるとしても冷気が流入して保温性が損なわれる虞がある。下部平板パッド１２は発泡弾性体で作製し、上部平板パッド１３は低反発発泡弾性体で作製するためにコストが嵩むという問題点がある。
また、特許文献２の技術は、ベッドに接する第２層の下面は平坦面であるため、ベッドとの間に湿気が溜って黴が発生し易い。第１層は高反発軟質ポリウレタンフォームで作製し、第２層は軟質ポリウレタンフォームという異なる素材で作製するためにコストが嵩むという問題点がある。
そして、特許文献１、２に共通する問題点は、弾性率の異なる素材で二層に構成してあるために製作コストが嵩むことである。
【０００７】
本考案は上述した従来技術の問題点や欠点に鑑みなされたもので、体重の異なる使用者にも反発力が働くので使用者に使い心地が良いし、ベッドとの間の黴の発生を防止することができ、また折畳みも可能な両面プロファイル型マットレスを提供することを目的とする。
【課題を解決するための手段】
【０００８】
上述した課題を解決するために構成した請求項１に記載の本考案の手段は、頂部側を凸状湾曲面とし、谷部側を凹湾曲面状とする多数の凹凸が縦横方向に連続する上側プロファイルを上面側に形成し、下面は平坦面に形成した上マットレス体と、頂部側を凸状湾曲面とし、谷部側を凹状湾曲面とする多数の凹凸が縦横方向に連続する下側プロファイルを下面側に形成し、上面は平坦面に形成した下マットレス体を重畳してなり、前記上マットレス体は、前記下マットレス体に対して１，５〜１，６倍の厚さに設定してあることを特徴とする。
【０００９】
そして、前記上側プロファイルの頂部と谷部の深さは、前記下側プロファイルの頂部と谷部の深さより深く設定するとよい。  
【００１０】
そして、前記上側プロファイルと下側プロファイルは、各々の頂部の間隔を等しく設定した条件で、上側プロファイルの凸部と凹部は下側プロファイルの凸部と凹部の約２，３〜２，４倍の深さに設定するとよい。
【００１１】
また、請求項１又は２記載の両面プロファイル型マットレスは、３分割して３個のマットレス片に形成し、該３個のマットレス片を収容するマットレスカバーは、前面カバー片と後面カバー片を長手方向両端に設けた底面カバー部に、前記マットレス片の長さ寸法に合わせて上端を折曲げ縁とする逆Ｖ字状の折畳み代及び前、後仕切り片を夫々配設することにより第１〜第３の収容スペースを画成した構成とし、該各収容スペースに収容する前記マットレス片の上面角隅側から側面にかけて拘持する角隅側面押え片を前記底面カバー部に設けることにより、前記３個のマットレス片は前記マットレスカバー内に挿脱可能に収容するようにするとよい。
【考案の効果】
【００１２】
（１）上マットレス体の上面側と下マットレス体の下面側の両面にプロファイルを形成し、下側プロファイルがクッションの働きをするようにしたから、使用者には当たりが柔らかく体の疲れが少ない。
（２）上マットレス体は下マットレス体に対して約１，５〜１，６倍の厚さに設定することで、体重の重い人が使用する場合でも上マットレス体が荷重を支承するから、下マットレス体が荷重により変形して下側プロファイルの通気性が損なわれる現象を可及的に防止できる。
（３）上マットレス体の上側プロファイルは下マットレス体の下側プロファイルより深い凸部と凹部に形成し、体重の異なる人が使用する場合でも上側プロファイルが荷重を吸収することにより、下マットレス体に可及的に荷重が掛らないようにして通気性を確保している。
（４）上側プロファイルは下側プロファイルに対して約２，３〜２，４倍の凹凸深さに設定し、体重の重い人が寝た場合でも上側プロファイルが完全に圧縮されて通気性が失われ、蒸れるといった事態が生じないようにして快適な使用感を確保すると共に、下マットレス体の圧縮を最小限にして下側プロファイルの通気性を確保して黴の発生を防止している。
（５）両面プロファイル型マットレスを３分割し、３個のマットレス片はマットレスカバーに一体に収容する構成にしたから、三つ折りに折畳むことが出来るので収納性に優れているし、汚れた或いは傷んだマットレス片を新しいマットレス片に交換することで維持費を節減できる。また、マットレス交換作業はマットレス片毎に行うことで作業者の身体的負担も小さい。
【図面の簡単な説明】
【００１３】
【図１】図１及び図２は本考案の第１の実施の形態に係り、図１は両面プロファイル型マットレスの外観斜視図である。
【図２】上マットレス体と下マットレス体の構成を示す説明図である。
【図３】図３乃至図６は第２の実施の形態に係り、図３は両面プロファイル型マットレスの外観斜視図である。
【図４】マットレスカバーの外観斜視図である。
【図５】マットレスカバーにマットレス片を挿装する説明図である。
【図６】マットレスを折畳む状態の説明図である。
【考案を実施するための形態】
【００１４】
以下、本考案の実施の形態を図面に基づき詳述する。図１及び図２は第１の実施の形態を示す。図において、１は両面プロファイル型マットレス、２は該両面プロファイル型マットレス１を構成する軟質ポリウレタンフォームからなる上マットレス体で、該上マットレス体２は従来のマットレスと同様に縦約１,９００ｍｍ、横約９００ｍｍ、厚さ約５５ｍｍの長方形に形成してある。３は該上マットレス体２を構成する上側プロファイルを示す。該上側プロファイル３は高さ方向中間の基準線イ‐イから上側の多数の凸部３Ａと、基準線イ‐イから下側の多数の凹部３Ｂを縦横方向に連続形成したものからなり、各凸部３Ａの頂部３Ａ１側を凸状湾曲面とし、各凹部３Ｂの谷部３Ｂ１側を凹状湾曲面とすることにより、上側プロファイル３は縦横方向に波状をなしている。他方、上マットレス体２の下面４は平坦面に形成してある。
【００１５】
５は前記上マットレス体２と重畳する下マットレス体を示す。該下マットレス体５は軟質ポリウレタンフォームからなり、縦横寸法は上マットレス体２と同じであるが、厚さは約３５ｍｍと薄く形成してある。６は該下マットレス体５を構成する下側プロファイルで、該下側プロファイル６は高さ方向中間の基準線ロ‐ロから下側の多数の凸部６Ａと、基準線ロ‐ロから上側の多数の凹部６Ｂを縦横方向に連続形成したものからなり、各凸部６Ａの頂部６Ａ１側を凸状湾曲面とし、各凹部６Ｂの谷部６Ｂ１側を凹状湾曲面とすることにより、下側プロファイル６は縦横方向に波状をなしている。他方、下マットレス体５の上面７は平坦面に形成してある。
８は上マットレス体２と下マットレス体５を一体に、かつ全面的に覆う布製のカバーシーツである。
【００１６】
ここで、上マットレス体２と下マットレス体５を重畳した厚さは従来のマットレスと同じ約９０ｍｍであるが、上マットレス体２の厚さＴ１は５５ｍｍ、下マットレス体５の厚さＴ２は３５ｍｍとし、上マットレス体２の厚さＴ１を下マットレス体５の厚さＴ２に対して約１，５〜１，６倍の厚さにしてある。これは、上マットレス体２には子供から大人、また痩せた人から太った人等体重の異なる多くの患者が寝ることから、上側プロファイル３の圧縮幅を体重の軽重に対応できるように大きく設定したことにある。更に、体重の重い人が寝た場合には厚さを持たせた上マットレス体２が全体で荷重を支承することで、下マットレス体５に荷重が掛からないようにし、下側プロファイル６が変形して下マットレス体５の通気性が損なわれることがないようにするためである。
【００１７】
また、上側プロファイル３の頂部３Ａ、３Ａの間隔Ｗと下側プロファイル６の頂部６Ａ、６Ａの間隔Ｗは等しいが、上側プロファイル３の凹凸深さＤ１は、下側プロファイル６の凹凸深さＤ２より約２，３〜２，４倍の深さ、本実施の形態ではＤ１を約３５ｍｍに、Ｄ２を約１５ｍｍに設定してある。これにより、上側プロファイル３は子供から大人、痩せた人から太った人等体重の異なる多くの患者が寝ることから、掛る荷重の幅が広いことに対応出来することができる。
他方、下マットレス体５は上方からの荷重によって変形することは殆どないので、下側プロファイル６は変形することなく通気性を保持して黴の発生を防止することができる。
【００１８】
図４乃至図６は第２の実施の形態を示す。図４において、１１は両面プロファイル型マットレスを示す。該両面プロファイル型マットレス１１は、上面側に第１の実施の形態の上側プロファイル３と同様の上側プロファイル１２Ａを形成し、幅方向両側に上側プロファイル１２Ａの谷部２Ｂ１と同一面の平坦面１２Ｂ、１２Ｂを長手方向に沿って段状に形成し、下面１２Ｃを平坦面に形成した上マットレス体１２と、下面側に下側プロファイル１３Ａを形成し、上面１３Ｂを平坦面に形成した下マットレス体１３を重畳して構成してある。そして、両面プロファイル型マットレス１１は、３個のマットレス片１１Ａ、１１Ｂ、１１Ｃに分割してあり、折畳んで収納可能にすると共に、マットレス片１１Ａ（１１Ｂ、１１Ｃ）の一部の交換を可能にしてある。１４は各マットレス片１１Ａ（１１Ｂ、１１Ｃ）を覆うカバーシーツである。
【００１９】
他方、１５は３個のマットレス片１１Ａ、１１Ｂ、１１Ｃを一体に収容するための布製のマットレスカバーを示す。１６は該マットレスカバー１５を構成し、両面プロファイル型マットレス１１と略同形の長方形からなる底面カバー部で、該底面カバー部１６は先端から起立する前面カバー片１６Ａ、後端から起立する後面カバー片１６Ｂ及び左右の側端縁１６Ｃ、１６Ｃから形成してある。
【００２０】
１７Ａ、１７Ｂ、１７Ｃはマットレス片１１Ａ、１１Ｂ、１１Ｃを区々に収容するために該底面カバー部１６に画成した３個の収容スペースを示す。第１の収納スペース１７Ａは、前面カバー片１６Ａから長手方向略３分の１の位置に逆Ｖ字状に起立する前立上げ片１８Ａと後立上げ片１８Ｂからなり、上端縁を折曲げ縁１８Ｃとする折畳み代１８を形成することにより、前記前面カバー片１６Ａとの間に形成してある。なお、該折曲げ縁１８Ｃには中央側に横長の切欠き１８Ｄを形成し、寝た人の背中等に当たらないようにしてある。
第２の収容スペース１７Ｂは、前面カバー片１６Ａから長手方向略３分の２の位置で底面カバー部１６の幅方向両側に左右一対の前仕切り片１９、１９を立設することにより、前記折畳み代１８との間に形成してある。更に、第３の収容スペース１７Ｃは、底面カバー部１６の幅方向両側に立設した後仕切り片２０、２０と後面カバー片１６Ｂとによって形成してある。
【００２１】
２１、２１はマットレス片１１Ａの前角隅から側面を覆う左右の前角隅側面押え片を示す。該各前角隅側面押え片２１は略直角を挟む１辺２１Ａ及び他辺２１Ｂと傾斜辺２１Ｃを有する三角形の布からなり、１辺２１Ａを略逆Ｌ字状に折り曲げて前面カバー片１６Ａの上縁から横端縁に縫着し、他辺２１Ｂを底面カバー部１６の側端縁１６Ｃに縫着することにより、第１収容スペース１７Ａの前角隅上面から側面にかけて斜めに覆っている。
【００２２】
２２、２２はマットレス片１１Ａの後角隅から側面を覆う左右の後角隅側面押え片を示す。該各後角隅側面押え辺２２は前記前角隅側面押え片２１と同様に鈍角を挟む１辺２２Ａ及び他辺２２Ｂと傾斜辺２２Ｃを有する三角形の布からなり、１辺２２Ａを略逆Ｌ字状に折り曲げて折畳み代１８の上端から前立上げ辺１８Ａの側縁に縫着し、先端側を前記前角隅側面押え片２１の先端側に重ねた状態で他辺２２Ｂを底面カバー部１６の側端縁１６Ｃに縫着することにより、第１収容スペース１７Ａの後角隅上面から側面にかけて斜めに覆っている。
【００２３】
２３、２３はマットレス片１１Ｂの前角隅から側面を覆う左右の前角隅側面押え片を示す。該各前角隅側面押え片２３は鈍角を挟む１辺２３Ａ及び他辺２３Ｂと傾斜辺２３Ｃを有する三角形の布からなり、１辺２３Ａを略逆Ｌ字状に折り曲げて折畳み代１８の上端から後立上げ辺１８Ｂに縫着し、他辺２３Ｂを底面カバー部１６の側端縁１６Ｃに縫着することにより、第２収容スペース１７Ｂの前角隅上面から側面にかけて斜めに覆っている。
【００２４】
２４、２４はマットレス片１１Ｂの後角隅から側面を覆う左右の後角隅側面押え片を示す。該各後角隅側面押え片２４は略直角を挟む１辺２４Ａ及び他辺２４Ｂと傾斜辺２４Ｃを有する三角形の布からなり、１辺２４Ａを略逆Ｌ字状に折り曲げて前仕切り片１９の上端から側端に縫着し、先端側を前記前角隅側面押え片２３の先端側に重ねた状態で他辺２４Ｂを底面カバー部１６の側端縁１６Ｃに縫着することにより、第２収容スペース１７Ｂの後角隅上面から側面にかけて斜めに覆っている。
【００２５】
更に、２５、２５はマットレス片１１Ｃの前角隅から側面を覆う左右の前角隅側面押え片を示す。該各前角隅側面押え片２５は略直角を挟む１辺２５Ａ及び他辺２５Ｂと傾斜辺２５Ｃを有する三角形の布からなり、１辺２５Ａを略逆Ｌ字状に折り曲げて後仕切り片２０の上端から側縁に縫着し、他辺２５Ｂを底面カバー部１６の側端縁１６Ｃに縫着することにより、第３収容スペース１７Ｃの前角隅上面から側面にかけて斜めに覆っている。
【００２６】
２６、２６はマットレス片１１Ｃの後角隅から側面を覆う左右の後角隅側面押え片を示す。該各後角隅側面押え片２６は略直角を挟む１辺２６Ａ及び他辺２６Ｂと傾斜辺２６Ｃを有する三角形の布からなり、１辺２６Ａを略逆Ｌ字状に折り曲げて後面カバー片１６Ｂの上端から側縁に縫着し、先端側を前記前角隅側面押え片２５の先端側に重ねた状態で他辺２６Ｂを底面カバー部１６の側端縁１６Ｃに縫着することにより、第３収容スペース１７Ｃの後角隅上面から側面にかけて斜めに覆っている。
【００２７】
かくして、マットレスカバー１５は、第１収容スペース１７Ａ、第２収容スペース１７Ｂ及び第３収容スペース１７Ｃにマットレス片１１Ａ、１１Ｂ、１１Ｃを収め、各マットレス片１１Ａ、１１Ｂ、１１Ｃは左右の前角隅側面押え片２１（２３、２５）と後角隅側面押え片２２（２４、２６）によって四か所を拘持する構成にしてあるから、両面プロファイル型マットレス１１の使用中や折畳んだ時にマットレス片１１Ａ、１１Ｂ、１１Ｃからマットレスカバー１５が外れることがなく、介護者等の従事者の労働負担を軽減することができる。
【００２８】
また、各後角隅側面押え片２２（２４、２６）は先端側を各前角隅側面押え片２１（２３、２５）の先端側に重ねた状態に設けることにより、収容する各マットレス片１７Ａ、１７Ｂ、１７Ｃの側面を確実に保持するようにしたから、マットレスカバー１１が両面プロファイル型マットレス１１から外れるといった事態を確実に防止している。
【００２９】
また、両面プロファイル型マットレス１１は３個のマットレス片１１Ａ、１１Ｂ、１１Ｃに分割し、マットレスカバー１５は底面カバー部１６に折畳み代１８と仕切り片１９、２０を設けた構成にすることにより、図６に示すように両面プロファイル型マットレス１１は略Ｚ状に折畳み可能であり、収納時のスペースを大幅に小さくすることができる。また、３個中のいずれかのマットレス片１１Ａ、１１Ｂ、１１Ｃが汚れたり、傷んだ場合にはそのマットレス片１１Ａ（１１Ｂ、１１Ｃ）のみを新しいマットレス片と交換すれば足りるから、維持費を節減することができる。
【００３０】
なお、本実施の形態では、上マットレス体１２と下マットレス体１３を重畳してマットレスカバー１４で一体に覆って各マットレス片１１Ａ（１１Ｂ、１１Ｃ）としたが、各マットレス片１１Ａ（１１Ｂ、１１Ｃ）を構成する上マットレス体１２と下マットレス体１３を個別にカバーで覆って重畳してもよい。
【符号の説明】
【００３１】
１        両面プロファイル型マットレス
２        上マットレス体
３        上側プロファイル
３Ａ１     頂部
３Ｂ１     谷部
４        下面
５        下マットレス体
６        下側プロファイル
６Ａ１     頂部
６Ｂ１     谷部
７        上面
１１      両面プロファイル型マットレス
１１Ａ〜１１Ｃ    マットレス片
１５      マットレスカバー
１６      底面カバー部
１８      折畳み代
１８Ｃ    折曲げ縁
１９      前仕切り片
２０      後仕切り片
２１、２３、２５    前角隅側面押え片
２２、２４、２６    後角隅側面押え片
【図１】
0003182062.tif 000003
【図２】
0003182062.tif 000004
【図３】
0003182062.tif 000005
【図４】
0003182062.tif 000006
【図５】
0003182062.tif 000007
【図６】
0003182062.tif 000008